(57)【要約】  【課題】パソコンの高性能化により、発熱する複数の半導体を、効率よく、且つ静かに冷却し、液冷システムと一体化された組み立てが容易なケースを提供する。【解決手段】内部に螺旋状のリボンを挿入し、効率よく熱交換できる液体冷却用の金属パイプをケースの骨格構造の一部とすると共に分岐管を設置して複数の冷却系統を設ける。又、冷却液のリザーブタンク内に上部から、伸縮性のあるゴム、又はスプリングで吊り下げて保持された水中ポンプを設けてなることを特徴とする。【選択図】  図１
2009048527.tif 000002
【特許請求の範囲】
【請求項１】
パソコンケースの骨格構造となるように曲げられた金属パイプと、
内部に水中ポンプを設けたリザーブタンクと、分岐管と、冷却ヘッドと、集合管と、
前記金属パイプと前記リザーブタンクと前記分岐管と前記冷却ヘッドと前記集合管とを連結するチューブと、継ぎ手と、
前記金属パイプと前記リザーブタンクと前記分岐管と前記冷却ヘッドと前記集合管と前記チューブと前記継ぎ手内に充填された液体冷媒とで構成され、
前記金属パイプは内部に螺旋状の金属リボンが挿入され、液体冷媒が攪拌されるよう構成されたことを特徴とする液冷システム。
【請求項２】
リザーブタンクはその内部に、上方から伸縮性のあるゴム、又はスプリングにより吊り下げて保持された水中ポンプを設け、水中ポンプの回転振動が外部へ伝播することを抑えることが出来る請求項１記載の液冷システム。
【請求項３】
リザーブタンクはその内部に配置された水中ポンプの排出口からリザーブタンクの排出口までを、クランク形状にチューブで繋ぎ、水中ポンプの回転振動が外部へ伝播することを抑えることが出来る請求項１、又は２のいずれかに記載の液冷システム。
【請求項４】
分岐管は、複数の半導体を冷却するため、２個以上用いた請求項１、２又は３のいずれかに記載の液冷システム。
【請求項５】
集合管は、複数の半導体を冷却するため、２個以上用いた請求項１、２、３又は４のいずれかに記載の液冷システム。
【請求項６】
請求項１、２、３、４又は５
のいずれかに記載の液冷システムを備えたパソコン用ケース。
【発明の詳細な説明】
【技術分野】
【０００１】
本発明は、組み立てが容易で、省スペースで冷却効率が良く、静穏性の高い液冷システムを一体化したパソコン用ケースに関するものである。
【背景技術】
【０００２】
従来の技術としては、半導体と熱交換するヘッド部分や、外気との熱交換を行うラジエター部、リザーブタンク、水中ポンプ、それらに冷却液を経由させるためのチューブや継ぎ手、又は、これらを組み合わせたものがある。
【特許文献１】特願２００５−１１９２８号公報
【発明の開示】
【発明が解決しようとする課題】
【０００３】
上記従来の技術には、半導体と熱交換するヘッド部分や、外気との熱交換を行うラジエター部、リザーブタンク、水中ポンプ、それらに冷却液を経由させるためのチューブや継ぎ手、又は、これらを組み合わせたものがあるが、使用者はこれらを、一つ一つ組み立ててケースの内部、或いは外部に設置しなければならず、時間と労力を要する。そして、これらを組み合わせただけで出来たパソコンでは省スペース化や静穏化が図れない。
【課題を解決するための手段】
【０００４】
第１の発明は、パソコンケースの骨格構造となるように曲げられた金属パイプと、
内部に水中ポンプを設けたリザーブタンクと、分岐管と、冷却ヘッドと、集合管と、
前記金属パイプと前記リザーブタンクと前記分岐管と前記冷却ヘッドと前記集合管とを連結するチューブと継ぎ手と、
前記金属パイプと前記リザーブタンクと前記分岐管と前記冷却ヘッドと前記集合管と前記チューブと前記継ぎ手内に充填された液体冷媒とで構成され、
前記金属パイプは内部に螺旋状の金属リボンが挿入され、液体冷媒が攪拌されるよう構成されたことを特徴とする液冷システムである。
第２の発明として、リザーブタンクはその内部に、上方から伸縮性のあるゴム、又はスプリングにより吊り下げて保持された水中ポンプを設け、水中ポンプの回転振動が外部へ伝播することを抑えることが出来る請求項１記載の液冷システムである。
第３の発明として、リザーブタンクはその内部に配置された水中ポンプの排出口からリザーブタンクの排出口までを、クランク形状にチューブで繋ぎ、水中ポンプの回転振動が外部へ伝播することを抑えることが出来る請求項１、又は２のいずれかに記載の液冷システムである。
第４の発明として、分岐管は複数の半導体を冷却するため、２個以上用いた請求項１、２又は３のいずれかに記載の液冷システムである。
第５の発明として、集合管は、複数の半導体を冷却するため、２個以上用いた請求項１、２、３又は４のいずれかに記載の液冷システムである。
第６の発明は、請求項１,２、３又は４のいずれかに記載の液冷システムを備えたパソコン用ケースである。
【０００５】
課題を解決するための手段として、内部に螺旋状の金属のリボンが挿入されている金属パイプを、ケースの外周に沿って曲げ加工を施して骨格構造の一部とし、冷却効率と省スペース化を図る。又、水中ポンプをリザーブタンク内に上部から伸縮性のあるゴム又はスプリングで吊り下げて保持し、チューブを介して分岐管と接続し、分岐先には複数の半導体を冷却するための継ぎ手を設置する。一方、集合管には、複数の半導体で熱せられた液体を集めるための継ぎ手を設け、集まった液体を前記の熱交換部分である金属パイプの一方の端部接続口にチューブを介して接続する。金属パイプの他端の接続口からチューブを介してリザーブタンクと接続する。
【発明の効果】
【０００６】
１）、パソコン部品の高性能化に伴い、高発熱する半導体を、液冷システムと一体化したケースを提供することにより、効率良く冷却することができる。
２）、液冷システムとケースを一体で提供するため、液冷化したパソコンの製作が容易である。
３）、リザーブタンクの上蓋から、伸縮性のあるゴム、又はスプリングで水中ポンプを吊り下げる事により、水中ポンプの回転振動がリザーブタンク外へ伝播することを抑え、静穏性能を高めることができる。
４）、水中ポンプの排出口からリザーブタンクの排出口までを、クランク形状にチューブで繋いでいるので、水中ポンプの回転振動が外部へ伝播することを抑え、静穏性能を高めることができる。
５）、分岐管を経由して其々の冷却ヘッドに最も冷めた状態の冷却液を送ることができるので、効率のいい冷却が可能である。
【発明を実施するための最良の形態】
【０００７】
以下本発明の実施の形態について、図１、図２、図３を参照しながら説明する。
【実施例】
【０００８】
図１について説明する。
リザーブタンク２から排出された冷却液はチューブ１０を通って分岐管４へと導かれ、複数の冷却ヘッド８へと分けられる。其々の冷却ヘッド８で受熱した冷却液は集合管５へ集められた後、ケースの外側を周る金属パイプ１の片端へ流入する。ケースの外周を一周し放熱した冷却液は金属パイプ１の他端から排出され、チューブ１１を通って、リザーブタンク２へと戻ってくる。
金属パイプ１はパソコン用ケースの骨格を成し、外気との熱交換する距離が最も長くなるように曲げられている。
【０００９】
図２について説明する。
水中ポンプ３は伸縮性のあるゴム、又はスプリング６で、リザーブタンク２内部の上方より、冷却液中に吊り下げ保持されており、その下端はリザーブタンク内壁の底面には接触していない。又、水中ポンプ３の排出口からリザーブタンクの排出口までは、チューブ７を介してクランク状に接続されている。
【００１０】
図３について説明する。
金属パイプ１の中には、冷却液が攪拌され、効率よく熱を金属パイプへ伝えられるように、螺旋状の金属のリボン９が挿入されている。
【図面の簡単な説明】
【００１１】
【図１】本発明の水冷ユニットと一体化したＰＣケースの構造斜視図。
【図２】本発明のリザーブタンクの内部側面図
【図３】本発明の金属パイプ内部の状態図
【符号の説明】
【００１２】
１    金属パイプ
２    リザーブタンク
３    水中ポンプ
４    分岐管
５    集合管
６    ゴム、又はスプリング
７    チューブ
８    冷却ヘッド
９    螺旋状の金属リボン
１０、１１  チューブ
【図１】
2009048527.tif 000003
【図２】
2009048527.tif 000004
【図３】
2009048527.tif 000005